(57)【要約】粘着層に粘着した小動物が当該粘着層から離脱しようとする力を吸収し、若しくは、小動物の身体に確実に絡み付き、それにより小動物の粘着層からの離脱を阻止して小動物を効率良く捕獲する。  小動物捕獲器１は、基板２と、伸縮性を有する材質および／または形状からなるシート３と、シート３の表面に形成された粘着層４と、を具備している。シート３は、基板２に所定箇所３ａを固着されており、当該所定箇所３ａ以外の部分は基板２に対して離接可能に配設されている。粘着層４に粘着した小動物１０が粘着層４から離脱しようとして暴れると、シート３が伸縮あるいは基板２から離接する方向に移動して小動物１０の脱出しようとする力を吸収し、それにより小動物１０の粘着層４からの離脱が阻止されて小動物１０が捕獲される。【特許請求の範囲】
【請求項１】
基台と、
伸縮性を有する材質および／または形状からなる本体を備え、前記本体の所定箇所が前記基台に固着され且つ当該本体の所定箇所以外の部分が前記基台に対して離接可能であるシートと、
前記シートの表面に形成された粘着層と、
を具備し、
前記粘着層に粘着した小動物が前記粘着層から離脱しようと動いたとき、前記シートが伸縮あるいは前記基台から離接する方向に移動して前記小動物の離脱力を吸収し、それにより前記小動物の粘着層からの離脱を阻止して前記小動物を捕獲するようにしたことを特徴とする小動物捕獲器。
【請求項２】
枠状の基台と、
伸縮性を有する材質および／または形状からなる本体を備え、前記本体が前記枠状の基台の中空部上を横切って架設されるように前記本体の所定箇所が前記支持枠に固着されたシートと、
前記シートの表面に形成された粘着層と、
を具備し、
前記粘着層に粘着した小動物が前記粘着層から離脱しようと動いたとき、前記シートが伸縮あるいは前記枠状の基台での架け渡し方向とは交差する方向に移動して前記小動物の離脱力を吸収し、それにより前記小動物の粘着層からの離脱を阻止して前記小動物を捕獲するようにしたことを特徴とする小動物捕獲器。
【請求項３】
互いに離間して対向配置された一対の支持台からなる基台と、
伸縮性を有する材質および／または形状からなる本体を備え、前記本体が前記一対の支持台に架設されるように前記本体の所定箇所がそれぞれ前記一対の支持台に固着されたシートと、
前記シートの表面に形成された粘着層と、
を具備し、
前記粘着層に粘着した小動物が前記粘着層から離脱しようと動いたとき、前記シートが伸縮あるいは前記支持台への架け渡し方向とは交差する方向に移動して前記小動物の離脱力を吸収し、それにより前記小動物の粘着層からの離脱を阻止して前記小動物を捕獲するようにしたことを特徴とする小動物捕獲器。
【請求項４】
前記シートが、蛇腹状に形成されたシートであることを特徴とする請求項１〜請求項３のいずれか一つに記載した小動物捕獲器。
【請求項５】
前記シートは、その伸縮方向の両端部が前記基台に固着されていることを特徴とする請求項１または請求項４に記載した小動物捕獲器。
【請求項６】
前記シートは、その伸縮方向の両端部が前記枠状の基台に固着されていることを特徴とする請求項２または請求項４に記載した小動物捕獲器。
【請求項７】
前記シートは、その伸縮方向の両端部が前記支持台に固着されていることを特徴とする請求項３または請求項４に記載した小動物捕獲器。
【請求項８】
基台と、
表面に粘着層を有し、所定箇所を前記基台に固着され且つ、前記所定箇所以外の部分に切り込みを設けて前記基台に対して離接可能とされた複数の浮動片を形成されたシートと、
を具備し、
前記粘着層に粘着した小動物が前記粘着層から離脱しようと動いたとき、前記小動物近傍の前記複数の浮動片が個々に前記小動物に粘着し、それにより前記小動物の粘着層からの離脱を阻止して前記小動物を捕獲するようにしたことを特徴とする小動物捕獲器。
【請求項９】
前記複数の浮動片が、櫛歯状の切り込みにより短冊状にそれぞれ形成されており、前記基台に固着された前記所定箇所に一端を接続されて該所定箇所に沿って整列されていることを特徴とする請求項８に記載の小動物捕獲器。
【請求項１０】
前記複数の浮動片が、前記シートの枡目状に配列された各区画において、中央から周縁に向けて放射状に伸びる複数の切り込みによりそれぞれ形成されていることを特徴とする請求項８に記載の小動物捕獲器。
【請求項１１】
前記複数の浮動片が、前記シートの枡目状に配列された各区画において、渦巻状の切り込みによりそれぞれ形成されていることを特徴とする請求項８に記載の小動物捕獲器。
【請求項１２】
前記複数の浮動片が、前記シートの枡目状に配列された各区画において、略コ字形状の切り込みによりそれぞれ形成されていることを特徴とする請求項８に記載の小動物捕獲器。
【請求項１３】
前記複数の浮動片が、伸縮性を付与されて且つ、所定の間隔をおいて互いに平行に設けられた一対の切り込みによりそれぞれ紐状に形成されており、両端を前記基台に固着された前記所定箇所にそれぞれ接続されていることを特徴とする請求項８に記載の小動物捕獲器。
【請求項１４】
前記シートが、難破断性を有する材料からなることを特徴とする請求項１〜請求項１３のいずれか一つに記載した小動物捕獲器。
【発明の詳細な説明】
【技術分野】
【０００１】  本発明は、小動物捕獲器に関し、より詳細には、齧歯類動物等の有害小動物を捕獲することができる小動物捕獲器に関する。
【背景技術】
【０００２】  従来、齧歯類動物（例えば、ネズミ）等の小動物を捕獲する捕獲器としては、板状部材に粘着剤を塗布した粘着層を設け、粘着層に小動物を粘着させて捕獲するものが知られおり、捕獲効率を向上させるために種々の提案がなされている。【０００３】  例えば、蛇腹状（アコーディオン状）に折り癖を付けた台紙の表面に粘着剤を塗布したもの（例えば、特許文献１参照）や、接着剤層が設けられたフレキシブルシートを複数箇所で基板に接着したもの（例えば、特許文献２参照）が知られている。また例えば、基板に浮動可能に載置されると共に、少なくとも１点で基板に連結された浮動シートの表面に粘着層を設けたもの（例えば、特許文献３参照）も知られている。
【特許文献１】実公昭５９−２９４９１号公報（第１−２頁、第１図）
【特許文献２】実用新案登録番号第２５５２８１３号公報（第１−２頁、図１）
【特許文献３】特開平１０−１３６８６３号公報（第３−５頁、図１）
【発明の開示】
【発明が解決しようとする課題】
【０００４】  特許文献１から特許文献３に開示されている捕獲器は、いずれも屈曲可能な基板あるいは柔軟なシートの表面に塗布された粘着剤にネズミ等の小動物を粘着させ、柔軟なシートを当該小動物の身体に絡みつかせて捕獲するようにしたものである。しかし、ネズミ等の小動物は、足裏に埃や油を付着させている場合が多く、シート上を歩いても十分に粘着せずに捕獲できないことがある。特に、ネズミ等の脚力の強い小動物は、脚が粘着剤に粘着しても大きくジャンプして粘着剤から離脱し、シートが身体に絡みつく前に脱出してしまう虞がある。【０００５】  また、特許文献１に開示されているような硬質の台紙、あるいは特許文献２または特許文献３に開示されているような平板状の基板上に載置された薄いシートに粘着層が設けられた捕獲器では、捕獲部（基板）の剛性が高いので、ネズミ等の小動物が脱出する際のしっかりした足場を与える結果となり、ネズミ等の小動物が脚に力を入れ易く、容易に脱出してしまう虞がある。また、ネズミ等の小動物が脱出する際に暴れるのでシートが破れて飛散し、周囲を汚して不衛生となる可能性もある。【０００６】  本発明は、前述した事情に鑑みてなされたものであり、その目的は、粘着層に粘着した小動物が当該粘着層から離脱しようとする力を吸収し、若しくは、小動物の身体に確実に絡み付き、それにより小動物の粘着層からの離脱を阻止して小動物を効率良く捕獲することができる小動物捕獲器を提供することにある。
【課題を解決するための手段】
【０００７】  前述した目的を達成するため、本発明に係る小動物捕獲器は、下記（１）〜（１４）を特徴としている。【０００８】  （１）基台と、伸縮性を有する材質および／または形状からなる本体を備え、前記本体の所定箇所が前記基台に固着され且つ当該本体の所定箇所以外の部分が前記基台に対して離接可能であるシートと、前記シートの表面に形成された粘着層と、を具備し、
前記粘着層に粘着した小動物が前記粘着層から離脱しようと動いたとき、前記シートが
伸縮あるいは前記基台から離接する方向に移動して前記小動物の離脱力を吸収し、それにより前記小動物の粘着層からの離脱を阻止して前記小動物を捕獲するようにしたこと。
（２）枠状の基台と、
伸縮性を有する材質および／または形状からなる本体を備え、前記本体が前記枠状の基台の中空部上を横切って架設されるように前記本体の所定箇所が前記支持枠に固着されたシートと、
前記シートの表面に形成された粘着層と、
を具備し、
前記粘着層に粘着した小動物が前記粘着層から離脱しようと動いたとき、前記シートが伸縮あるいは前記枠状の基台での架け渡し方向とは交差する方向に移動して前記小動物の離脱力を吸収し、それにより前記小動物の粘着層からの離脱を阻止して前記小動物を捕獲するようにしたこと。
（３）互いに離間して対向配置された一対の支持台からなる基台と、
伸縮性を有する材質および／または形状からなる本体を備え、前記本体が前記一対の支持台に架設されるように前記本体の所定箇所がそれぞれ前記一対の支持台に固着されたシートと、
前記シートの表面に形成された粘着層と、
を具備し、
前記粘着層に粘着した小動物が前記粘着層から離脱しようと動いたとき、前記シートが伸縮あるいは前記支持台への架け渡し方向とは交差する方向に移動して前記小動物の離脱力を吸収し、それにより前記小動物の粘着層からの離脱を阻止して前記小動物を捕獲するようにしたこと。
（４）上記（１）〜（３）に記載のシートが、蛇腹状に形成されたシートであること。
（５）上記（１）または（４）に記載のシートは、その伸縮方向の両端部が前記基台に固着されていること。
（６）上記（２）または（４）に記載のシートは、その伸縮方向の両端部が前記枠状の基台に固着されていること。
（７）上記（３）または（４）に記載のシートは、その伸縮方向の両端部が前記支持台に固着されていること。
（８）基台と、
表面に粘着層を有し、所定箇所を前記基台に固着され且つ、前記所定箇所以外の部分に切り込みを設けて前記基台に対して離接可能とされた複数の浮動片を形成されたシートと、
を具備し、
前記粘着層に粘着した小動物が前記粘着層から離脱しようと動いたとき、前記小動物近傍の前記複数の浮動片が個々に前記小動物に粘着し、それにより前記小動物の粘着層からの離脱を阻止して前記小動物を捕獲するようにしたこと。
（９）上記（８）に記載の複数の浮動片が、櫛歯状の切り込みにより短冊状にそれぞれ形成されており、前記基台に固着された前記所定箇所に一端を接続されて該所定箇所に沿って整列されていること。
（１０）上記（８）に記載の複数の浮動片が、前記シートの枡目状に配列された各区画において、中央から周縁に向けて放射状に伸びる複数の切り込みによりそれぞれ形成されていること。
（１１）上記（８）に記載の複数の浮動片が、前記シートの枡目状に配列された各区画において、渦巻状の切り込みによりそれぞれ形成されていること。
（１２）上記（８）に記載の複数の浮動片が、前記シートの枡目状に配列された各区画において、略コ字形状の切り込みによりそれぞれ形成されていること。
（１３）上記（８）に記載の複数の浮動片が、伸縮性を付与されて且つ、所定の間隔をおいて互いに平行に設けられた一対の切り込みによりそれぞれ紐状に形成されており、両端を前記基台に固着された前記所定箇所にそれぞれ接続されていること。
（１４）前記シートが、難破断性を有する材料からなること。【０００９】  上記（１）、（２）または（３）に記載の小動物捕獲器によれば、小動物が粘着層から離脱しようとして脚に力を入れても、シートが、その厚さ方向と交差する方向に伸縮可能あるいは上記（１）に記載の小動物捕獲器の場合、基台に向かう方向に潰れることが可能あるいは上記（２）または（３）に記載の小動物捕獲器の場合、架け渡し方向と交差する方向で小動物捕獲器の設置面側に潰れることが可能であるので、離脱しようとする小動物の脚の力を吸収可能である。即ち、小動物が脚に力を入れても足場が悪いため、粘着層から離脱することができない。また、小動物がジャンプした場合には、粘着層が設けられたシートが小動物に粘着した状態のまま、上記（１）に記載の小動物捕獲器の場合、基台から離間し、そして上記（２）または（３）に記載の小動物捕獲器の場合、架け渡し方向と交差する方向で小動物捕獲器の設置面とは反対側へ移動し、小動物が粘着層から離脱するのを許さない。従って、強い脚力を有するネズミ等の小動物でも粘着層から離脱することができず、粘着層に粘着して捕獲される。
また、上記（４）に記載の小動物捕獲器によれば、シートの本体の材質が伸縮性を有さないものであっても当該シートが蛇腹状に形成されているので伸縮性が付与される。このシートの表面は凹凸形状となるので、平板状のシートと比較して足場が悪く小動物が踏ん張ることができない。よって、小動物が離脱しようとして脚に力を入れると、シートが蛇腹の伸縮方向に伸びると共に蛇腹形状の凸部が潰れて足場を不安定にし、小動物の離脱しようとする力がシートの変形で吸収される。従って、粘着層に粘着した小動物は、脱出しようとして無駄にもがくだけで脱出できず、やがて体力を消耗して捕獲される。
また、上記（５）、（６）または（７）に記載の小動物捕獲器によれば、粘着層に粘着した小動物が離脱しようとして脚に力を入れると、シートが伸縮して離脱力を吸収し、小動物の脱出を阻止する。そして、柔軟性のあるシートが小動物の身体に絡みつき、小動物が脱出不能となって捕獲される。またシートは、その両端部が、重量がある（つまり重い）かまたは設置面に固定された基台（上記（１）に記載の小動物捕獲器の場合）、支持枠（上記（２）に記載の小動物捕獲器の場合）、あるいは支持台（上記（３）に記載の小動物捕獲器の場合）にしっかりと固着されているので、シートを基台、支持枠、あるいは支持台から剥離して当該シートを身体の一部に絡み付けたまま小動物が逃走したり、あるいは基台、支持枠、あるいは支持台を引きずりながら逃走することが防止され、小動物が捕獲される。
また、上記（８）に記載の小動物捕獲器によれば、複数の浮動片はシート表面の粘着層ごと切り込まれてシートに一体に形成される。これにより、個々の浮動片を小型化してシートに多数の浮動片を容易に形成することができ、小動物に絡み付きやすくすることができる。
尚、浮動片を形成する切り込みは、連続・非連続を問わず、粘着した小動物が離脱しようと動いた際に、個々の浮動片を分離可能とするものであればよく、例えば、ミシン目のように断続して設けてもよい。いずれの場合においても、複数の浮動片はシートに一体に形成されるので、未使用時において複数の浮動片は整然と並んで配置され、未使用時において個々の浮動片が互いに粘着したり、基台に粘着したりして、小動物に絡み付くことができなくなるという不具合を防止することができる。特に、断続した切り込みにより個々の浮動片を形成するようにした場合には、上記のような不具合をより確実に防止することができる。
また、個々の浮動片は、いずれも粘着層を有しているので単独で小動物に粘着することができ、小動物が浮動片に粘着してもがくほどに、他の浮動片も小動物に粘着して、小動物は複数の浮動片によって絡め捕られて離脱不能となり、確実に捕獲される。
そして、上記（９）、（１０）、（１１）、（１２）または（１３）に記載の小動物捕獲器によれば、複数の浮動片を隙間無く設けることができ、これらの浮動片の少なくとも一つに小動物が粘着して該浮動片から離脱しようともがくほどに、該浮動片に隣接する他の浮動片が確実に小動物に絡み付き、これにより小動物が捕獲される。
また、上記（１４）に記載の小動物捕獲器によれば、小動物がシート上で暴れてシートが破れることが防止される。従って、シートの破片によって周囲を汚染するといった衛生上の問題の発生を防止することができる。
【発明の効果】
【００１０】  本発明の小動物捕獲器によれば、粘着層に粘着した小動物が当該粘着層から離脱しようとする力を吸収し、それにより小動物の粘着層からの離脱を阻止して小動物を効率良く捕獲することができる。
【図面の簡単な説明】
【００１１】
【図１】本発明に係る小動物捕獲器の一実施形態の斜視図である。
【図２】図１の小動物捕獲器の側面図である。
【図３】粘着層に粘着したネズミが脱出しようとして暴れたとき、蛇腹状シートが伸縮すると共にその凸部が潰れて伸縮方向および上下方向のネズミの力を吸収する状態を示す小動物捕獲器の側面図である。
【図４】粘着層に粘着したネズミが脱出しようとして暴れたとき、伸縮方向と交差する方向の力を吸収する状態を示す小動物捕獲器の平面図である。
【図５】ネズミがジャンプしたとき、蛇腹状シートがネズミに粘着したまま伸びる状態を示す小動物捕獲器の側面図である。
【図６】図１の小動物捕獲器の変形例を基台の裏面側から見た斜視図である。
【図７】本発明に係る小動物捕獲器の他の実施形態の斜視図である。
【図８】本発明に係る小動物捕獲器の他の実施形態の側面図である。
【図９】（ａ）は本発明に係る小動物捕獲器の他の実施形態の平面図、（ｂ）は同図（ａ）の小動物捕獲器の側面図である。
【図１０】粘着層に粘着したネズミが脱出しようとして暴れ、複数の浮動片がネズミに粘着した状態を示す斜視図である。
【図１１】図９の小動物捕獲器の変形例を示す平面図である。
【図１２】（ａ）は本発明に係る小動物捕獲器の他の実施形態の平面図、（ｂ）は同図（ａ）の小動物捕獲器の要部斜視図である。
【図１３】（ａ）は本発明に係る小動物捕獲器の他の実施形態の平面図、（ｂ）は同図（ａ）の小動物捕獲器の要部斜視図である。
【図１４】（ａ）は本発明に係る小動物捕獲器の他の実施形態の平面図、（ｂ）は同図（ａ）におけるＸＩＶｂ−ＸＩＶｂ矢視断面図である。
【図１５】（ａ）は本発明に係る小動物捕獲器の他の実施形態の平面図、（ｂ）は同図（ａ）の小動物捕獲器の要部斜視図である。
【図１６】（ａ）は図１の小動物捕獲器を複数重ねて輸送・販売する際に好適に用いることができる緩衝材の平面図、（ｂ）は同図（ａ）の緩衝材を図１の小動物捕獲器に取付けた状態を示す斜視図である。
【図１７】図１の小動物捕獲器を複数重ねて輸送・販売する際に好適に用いることができる他の緩衝材を示す斜視図である。
【符号の説明】
【００１２】１，２０，３０，４０，５０，６０，７０，８０，９０  小動物捕獲器
２    基板
２５  基台
３５  支持枠
４５  支持台
３    蛇腹状シート（シート）
３ａ  両端部
３ｂ  本体
４    粘着層
１０  ネズミ（小動物）
【発明を実施するための最良の形態】
【００１３】  以下、本発明に係る好適な実施形態を図面に基づいて詳細に説明する。【００１４】  図１は本発明に係る小動物捕獲器の一実施形態の斜視図、図２は図１の小動物捕獲器の側面図、図３は粘着層に粘着したネズミが脱出しようとして暴れたとき、蛇腹状シートが伸縮すると共にその凸部が潰れて伸縮方向および上下方向のネズミの力を吸収する状態を示す小動物捕獲器の側面図、図４は粘着層に粘着したネズミが脱出しようとして暴れたとき、伸縮方向と交差する方向の力を吸収する状態を示す小動物捕獲器の平面図、そして図５はネズミがジャンプしたとき、蛇腹状シートがネズミに粘着したまま伸びる状態を示す小動物捕獲器の側面図である。【００１５】  図１および図２に示されるように、本発明の一実施形態である小動物捕獲器１は、基板２と、シート３と、粘着層４と、を備えている。シート３は、伸縮性を有する形状からなる本体３ｂを備える。シート３の本体３ｂの所定箇所３ａは基板２に固着されている。当該本体３ｂの所定箇所３ａ以外の部分は基板２に対して離接可能に配設される。粘着層４はシート３の本体３ｂの表面に形成されている。そして図３〜図５に例示されるように、粘着層４に粘着した有害小動物（この例ではネズミ）１０が粘着層４から離脱しようと動いたとき、シート３が伸縮あるいは基板２から離接する方向に移動してネズミ１０の離脱力を吸収し、それによりネズミ１０の粘着層４からの離脱が阻止され、ネズミ１０が捕獲される。【００１６】  このように構成された小動物捕獲器１の詳細について以下に説明する。【００１７】  基板２には、例えば、段ボール、厚紙、プラスチック板、金属板、等といった或る程度重量が有り、腰の強い板材が用いられ、必要に応じてその板材に例えばアルミニウム等の金属の蒸着加工や、アルミニウム箔等の金属箔、プラスチックシート、等の貼り付け加工を施されている。基板２は、シート３を固定するための基台として作用する。【００１８】  シート３は、その本体３ｂが、例えば、紙、不織布、等のシート状素材を山線、谷線を交互に折曲げ加工して蛇腹状に形成または例えば、ゴム、プラスチック、等の素材を蛇腹状に成形して形成されており、基板２上に載置されて伸縮方向の両端部３ａが、例えば接着剤等といった固着手段により基板２に強固に固着されている。即ち、シート３の本体３ｂは、基板２に固着された両端部３ａを除くそれ以外の部分が、基板２から容易に離れることができるように構成されている。【００１９】  蛇腹状に形成されたシート３の剛性は、例えば、ネズミ１０がシート３に載ったときには、その重量によって僅かに変形するだけであるが、離脱しようとしてネズミ１０が暴れる等して、大きな力が作用したときには、蛇腹形状が潰れる程度の剛性とするのが望ましく、これによって、ネズミ１０の捕獲効果を向上させることができる。【００２０】  シート３の本体３ｂの表面には、粘着剤が塗布されて粘着層４が形成されている。この粘着剤としては、ゴム類あるいは合成樹脂類を主成分とし、これに多量の軟化剤、粘着力付与樹脂、等が添加されている。軟化剤としては、ライトプロセス油、ミネラル油、動物または植物油、低分子量ポリエチレンおよびポリイソブチレン、ポリ��デン、等が例示される。また、粘着力付与樹脂としては、ロジン系樹脂、テルペン系樹脂、等が例示される。また、粘着剤には、必要に応じて、例えば、殺鼠剤等の薬剤を混合することもできる。また、犬、猫などの愛玩動物が誤って粘着層に粘着することを防止するために、これらの愛玩動物に対する忌避剤を併用してもよい。忌避剤としては、メチルノニルケトン誘導体を有効成分とする忌避剤［例えば、ＣＡＮＹ｀Ｓ社（フランス）製のＲＥＰＵＬＳＩＦ  Ｄ’ＩＮＴＥＲＩＥＵＲ，含量３．１７重量％など］等を例示することができるが、これに限定されるものではなく、犬、猫などの愛玩動物に対して忌避効果を有し、ネズミに対して忌避効果を有しないか、あるいは忌避効果に劣るものであればよい。【００２１】  本実施形態の小動物捕獲器１は、例えば以下に説明する工程を経て製作される。即ち、蛇腹状に形成されたシート３の本体３ｂをその伸縮方向に狭持可能な固定枠を用いて折り畳まれた状態に保持し、折り畳まれた状態のシート３の本体３ｂの表面に、粘着剤塗布装置もしくは簡易的な粘着剤溶融機を用いて粘着剤を塗布し、粘着層４を形成する。粘着層４が形成されたシート３を広げ、シート３の両端部３ａを、例えばヒートシールを用いて基板２に固着する。これにより小動物捕獲器１が製作される。【００２２】  小動物捕獲器１の輸送・販売に際しては、ある程度の厚みを有する緩衝材を介装して複数の小動物捕獲器１を重ねて箱詰めするとよい。緩衝材としては、例えば、図１６に示されるように、基板２に固着されていないシート３の側部を上下に挟むようにして基板２の側部に嵌め込まれる固定部材１１を例示することができる。この固定部材１１は、例えば帯状の厚紙１２を枠状に成形し、且つ、その上面にダンボール等のある程度の厚みを有する材料からなる帯材１３を積層して構成されている。この固定部材１１によれば、小動物捕獲器１の粘着層４が、重ねられた他の小動物捕獲器１に粘着してしまうことを防止することができ、且つ、蛇腹状のシート３がその伸縮方向と交差する方向に湾曲してしまうことを防止することができる。尚、小動物捕獲器１の使用時には、この固定部材１１は基板２から取り外される。また、他の緩衝材としては、図１７に示されるように、例えばダンボール等のある程度の厚みを有する材料からなり、シート３の表面の周縁部（粘着層４を除く領域）に重ねられる枠材１４を例示することができる。この枠材１４によれば、小動物捕獲器１の粘着層４が、重ねられた他の小動物捕獲器１に粘着してしまうことを防止することができ、且つ、シート３の表面に重ねるだけであるので作業性に優れる。【００２３】  本実施形態の作用を説明する。小動物捕獲器１は、図３に示されるように、ネズミ１０が出没する場所に粘着層４を上に向けて設置する。ネズミ１０が粘着層４上を通過すると、粘着剤がネズミ１０の脚１０ａに粘着して捕捉する。ネズミ１０が逃げようとして脚１０ａに力を入れると、その力はシート３に作用する。ネズミ１０の力は、互いに直交する３軸方向（Ｘ、Ｙ、Ｚ方向）の力に分解して解析することができる。即ち、図３に示されるように、シート３の伸縮方向に作用する力Ｘは、蛇腹状シート３が伸縮することにより吸収され、また上下方向に作用する力Ｚは、蛇腹状シート３の凸部（山部）が潰れることにより吸収される。更に、図４に示されるように、シート３の伸縮方向と交差する方向に作用する力Ｙは、基板２に固着されたシート３の両端部３ａを除いた部分が力Ｙの作用する方向に湾曲しながら移動することで吸収される。【００２４】  即ち、ネズミ１０が逃げようとする力は、シート３が伸縮すると共に蛇腹状シート３の凸部が潰れることにより吸収されてしまい、有効な脱出力とはならず、ネズミ１０は粘着層４から離脱することができない。また、このとき、シート３が基板２上を横方向に移動する（即ち、滑る）と共に、蛇腹状シート３の凸部が潰れるので、ネズミ１０の足場が更に不安定となって力を入れても当該力が吸収されることとなる。【００２５】  また、図５に示されるように、ネズミ１０がジャンプできたとしても、粘着層４がネズミ１０の脚１０ａに粘着した状態のまま蛇腹状シート３が上方（矢印Ａ方向）に伸び、粘着層４からの離脱を阻止する。上述したように、単に平板状シートを基板上に載置した従来の捕獲器と比較して、ネズミ１０が脱出するときの足場が悪く、脚に力が入れられない上に、ネズミ１０の脚力（離脱力）を吸収してしまうので、捕獲確率が大幅に向上する。【００２６】  このようにして、ネズミ１０が逃げようとして無駄にもがいているうちに体力を消耗し、更に、蛇腹状シート３の蛇腹が伸びてネズミ１０の身体にも絡みつき、ネズミ１０の全身に粘着してネズミ１０が捕獲される。また、シート３は難破断性の材料から形成されその両端部３ａが基板２に強固に固着されており、更に、基板２はある程度の重量があるので、ネズミ１０がシート３を破ったり、基板２を引きずりながら逃走することはできず、捕獲される。尚、基板２は、小動物捕獲器１の設置場所の設置面に接着、ピン止め、等によって固定しておくこともでき、この場合には基板２が軽量であってもよい。【００２７】  本実施形態の小動物捕獲器１によれば、ネズミ１０が粘着層４から離脱しようとして脚１０ａに力を入れても、シート３が、その厚さ方向と交差する方向に伸縮すると共に基板に向かう方向に潰れるので、離脱しようとするネズミ１０の脚１０ａの力が吸収される。
即ち、ネズミ１０が脚１０ａに力を入れても足場が悪いため、粘着層４から離脱することができない。また、ネズミ１０がジャンプした場合には、粘着層４が設けられたシート３が、ネズミ１０に粘着した状態のまま基板２から離間し、ネズミ１０が粘着層４から離脱するのを許さない。従って、強い脚力を有するネズミ１０でも粘着層４から離脱することができず、粘着層４に粘着して捕獲される。【００２８】  また、本実施形態の小動物捕獲器１によれば、シート３の本体３ｂの材質が伸縮性を有さないものであっても当該シート３が蛇腹状に形成されているので伸縮性が付与される。
このシート３の表面は凹凸形状となるので、平板状のシートと比較して足場が悪くネズミ１０が踏ん張ることができない。よって、ネズミ１０が離脱しようとして脚１０ａに力を入れると、シート３が蛇腹の伸縮方向に伸びると共に蛇腹形状の凸部が潰れて足場を不安定にし、ネズミ１０の離脱しようとする力がシート３の変形で吸収される。従って、粘着層４に粘着したネズミ１０は、脱出しようとして無駄にもがくだけで脱出できず、やがて体力を消耗して捕獲される。【００２９】  また、本実施形態の小動物捕獲器１によれば、シート３の両端部３ａが基板２に固着されているので、粘着層４に粘着したネズミ１０が離脱しようとして脚１０ａに力を入れると、シート３が伸縮して離脱力を吸収し、ネズミ１０の脱出を阻止する。そして、柔軟性のあるシート３がネズミ１０の身体に絡みつき、ネズミ１０が脱出不能となって捕獲される。またシート３は、その両端部３ａが、重量がある（つまり重い）かまたは設置面に固定された基板２にしっかりと固着されているので、シート３を基板２から剥離して当該シート３を身体の一部に絡み付けたままネズミ１０が逃走したり、あるいは基板２を引きずりながら逃走することが防止され、ネズミ１０が捕獲される。【００３０】  また、本実施形態の小動物捕獲器１によれば、ネズミ１０がシート３上で暴れてシート３が破れることが防止される。従って、シート３の破片によって周囲を汚染するといった衛生上の問題の発生を防止することができる。【００３１】  以下、図１の小動物捕獲器の変形例および本発明に係る小動物捕獲器の他の実施形態を図面を参照しながら説明する。尚、以下の説明において、既に説明した部材等と同様な構成・作用を有する部材等については、図中に同一符号を付すことにより、説明を簡略化或いは省略する。【００３２】  図６は図１の小動物捕獲器の変形例を基台の裏面側から見た斜視図である。図６に示されるように、小動物捕獲器２０は、図１〜図５に示される小動物捕獲器１と比較して、基台の形態が異なっている。具体的に、小動物捕獲器２０の基台２５は、Ｘ字形を有し、その両端部（４箇所）にシート３の両端部３ａが２箇所ずつ固着されている。【００３３】  基台２５には、上述した基板２と同様な板材をＸ字形に形成したものを用いればよいが、シート３を固定するよう基台２５を作用させるために、重い材料を用いることが好ましい。尚、基台２５は、小動物捕獲器２０の設置場所の設置面に接着、ピン止め、等によって固定しておくこともでき、この場合には基台２５が軽量であってもよい。また、この変形例ではＸ字形の基台２５を用いているが、Ｘ字形に限らず、例えば、Ｈ字形、Ｚ字形、等の基台を適宜用いることは勿論可能である。【００３４】  尚、基台２５がＸ字形を有するので、基台２５の厚みを厚くすることでシート３上のネズミの足場が更に悪くなり、これによりネズミのバランスを崩し易くすることができる。
また、Ｘ字形の基台２５の中央の交差点を軸として回動可能に設けられる２本の棒状部材で基台２５を構成してもよい。この場合、シート３の接着層４の表面に剥離シートを被せた状態で基台２５を蛇腹状のシート３の縮み方向（つまり折り畳み方向）へ折り畳むことで小動物捕獲器２０全体をコンパクトにすることができ、梱包、運搬および陳列に有利な小動物捕獲器２０を提供することができる。【００３５】  小動物捕獲器２０の作用や効果については第１実施形態（小動物捕獲器１）の上記説明から類推可能であるため説明を省略する。【００３６】  図７は本発明に係る小動物捕獲器の他の実施形態の斜視図である。図７に示されるように、小動物捕獲器３０は、図１〜図６に示される小動物捕獲器１，２０と比較し、上述のような基板２，基台２５の代わりに、枠状の基台である支持枠３５を備えている。具体的に、小動物捕獲器３０の支持枠３５は、口字形を有し、その両端部にシート３の両端部３ａが固着され、シート３が支持枠３５の中空部上を横切って架設されている。特に、図７ではシート３が支持枠３５に懸架された例が示されている。【００３７】  支持枠３５には、上述した基板２と同様な板材を口字形に形成したものを用いればよいが、シート３を固定するための基台として支持枠３５を作用させるために、重い材料を用いることが好ましい。尚、支持枠３５は、小動物捕獲器３０の設置場所の設置面に接着、ピン止め、等によって固定しておくこともでき、この場合には支持枠３５が軽量であってもよい。また、この実施形態ではロ字形の支持枠３５を用いているが、ロ字形に限らず、例えば、☆形、○形、等の支持枠を適宜用いることは勿論可能である。【００３８】  尚、支持枠３５を折り畳み自在に構成してもよく、この場合、シート３の接着層４の表面に剥離シートを被せた状態で支持枠３５を蛇腹状のシート３の縮み方向（つまり折り畳み方向）へ折り畳むことで小動物捕獲器３０全体をコンパクトにすることができ、梱包、運搬および陳列に有利な小動物捕獲器３０を提供することができる。【００３９】  小動物捕獲器３０の作用や効果については上記説明から類推可能であるため説明を省略する。【００４０】  図８は本発明に係る小動物捕獲器の他の実施形態の側面図である。図８に示されるように、小動物捕獲器４０は、図１〜図７に示される小動物捕獲器１，２０，３０と比較し、上述のような基板２，基台２５や支持枠３５の代わりに、互いに離間して対向配置された一対の支持台４５からなる基台を備えている。具体的に、小動物捕獲器４０の支持台４５にはシート３の両端部３ａが固着され、シート３が支持台４５に架設（懸架）されている。【００４１】  支持台４５には、シート３を固定するための基台として作用させるために、重い材料を用いることが好ましい。尚、支持台４５は、小動物捕獲器４０の設置場所の設置面に接着、ピン止め、等によって固定しておくこともでき、この場合には支持台４５が軽量であってもよい。【００４２】  この小動物捕獲器４０の場合、シート３の接着層４の表面に剥離シートを被せた状態で蛇腹状のシート３を折り畳むことにより小動物捕獲器４０全体をコンパクトにすることができるので、梱包、運搬および陳列に有利であ��。【００４３】  小動物捕獲器４０の作用や効果については上記説明から類推可能であるため説明を省略する。【００４４】  図９（ａ）は本発明に係る小動物捕獲器の他の実施形態の平面図、（ｂ）は同図（ａ）の小動物捕獲器の側面図、図１０は粘着層に粘着したネズミが脱出しようとして暴れ、複数の浮動片がネズミに粘着した状態を示す斜視図である。尚、上述した各実施形態と共通する部材は同一符号を付し説明を省略する。【００４５】  図９に示されるように、本発明の一実施形態である小動物捕獲器５０は、略矩形板状の基板２と、表面に粘着層４を形成された略矩形状のシート５と、を備えている。【００４６】  シート５は、例えば、紙、不織布、等の難破断性の素材から形成されており、シート５の長手方向に沿った一組の側部５ａを所定箇所として基板２に固着されている。この両側部５ａ，５ａの中間には、前記長手方向に沿ってシート５を横切る切り込み５ｃが形成されており、この切り込み５ｃによってシート５は二分されている。そして、側部５ａ以外の部分において、切り込み５ｃから側部５ａに向けて前記長手方向に所定の間隔をおいて互いに平行とされた櫛歯状の複数の切り込み５ｄが設けられており、この複数の切り込み５ｄにより短冊状の複数の浮動片５ｂが、切り込み５ｃの両側にそれぞれ設けられている。個々の浮動片５ｂは、一方の端部を側部５ａに接続されており、該端部を支持部として他方の端部を基板２に対して離接可能とされ、側部５ａに沿って隙間無く整列して配設されている。粘着層４はシート５の表面に形成されており、切り込み５ｃ，５ｄによりシート５と一体に切り込まれ、個々の浮動片５ｂの表面にそれぞれ切り分けられている。【００４７】  このように構成された小動物捕獲器５０の作用について以下に説明する。【００４８】  小動物捕獲器５０は、図１０に示されるように、ネズミ１０が出没する場所に粘着層４を上に向けて設置する。ネズミ１０が小動物捕獲器５０上を通過すると、複数の浮動片５ｂの粘着層４の粘着剤がネズミ１０の脚に粘着してネズミ１０を捕捉する。ネズミ１０が粘着した浮動片５ｂから離脱しようと暴れるに伴い、粘着した浮動片５ｂ近傍の他の浮動片５ｂもネズミ１０に粘着し、結局、ネズミ１０は多数の浮動片５ｂによって絡め捕られ捕獲される。【００４９】  本実施形態の小動物捕獲器５０によれば、複数の浮動片５ｂはシート５の表面の粘着層４ごと切り込まれてシート５に一体に形成される。これにより、個々の浮動片５ｂを小型化してシート５に多数の浮動片５ｂを容易に形成することができ、ネズミ１０に絡み付きやすくすることができる。さらに、未使用時において複数の浮動片５ｂは整然と並んで配置され、未使用時において個々の浮動片５ｂが互いに粘着したり、基板２に粘着したりして、ネズミ１０に絡み付くことができなくなるという不具合を防止することができる。また、個々の浮動片５ｂは、いずれも粘着層４を有しているので単独でネズミ１０に粘着することができ、ネズミ１０が浮動片５ｂに粘着してもがくほどに他の浮動片５ｂもネズミ１０に粘着し、結局、ネズミ１０は多数の浮動片５ｂによって絡め捕られて離脱不能となり確実に捕獲される。【００５０】  尚、上述した実施形態���おいて、シート５を例えば、ゴム、プラスチック、等の伸縮性および難破断性を兼ね備えた素材から形成してもよい。これによれば、個々の浮動片５ｂに伸縮性が付与され、粘着したネズミ１０の離脱をより困難なものとし、ネズミ１０を確実に捕獲することができる。【００５１】  また、図１１に示されるように、前記長手方向に沿ったシート５の中央部５ｅを所定箇所として基板２に固着し、櫛歯状の切り込み５ｄを、前記長手方向に沿った両側縁部から中央部５ｅに向けて所定の間隔をおいて互いに平行に設けて短冊状の複数の浮動片５ｂを形成してもよい。【００５２】  図１２（ａ）は本発明に係る小動物捕獲器の他の実施形態の平面図、（ｂ）は同図（ａ）に示される小動物捕獲器の要部斜視図である。尚、上述した各実施形態と共通する部材は同一符号を付し説明を省略する。【００５３】  図１２に示されるように、本発明の一実施形態である小動物捕獲器６０は、略矩形板状の基板２と、表面に粘着層４を形成された略矩形状のシート６と、を備えている。【００５４】  シート６は、例えば、紙、不織布、等の難破断性の素材から形成されており、その周縁部を所定箇所として基板２に固着されている。シート６の周縁部以外の部分において、３行５列の枡目状に配列された各区画には、中央から周縁に向けて放射状に伸びる４条の切り込み６ｃがそれぞれ設けられており、この４条の切り込み６ｃにより前記枡目状の区画にはそれぞれ４つの浮動片６ｂが形成されている。このような構成により、シート６全体に隙間無く多数の浮動片６ｂを形成することができる。そして、個々の浮動片６ｂは、前記枡目状の区画の周縁部に接続した基端部を支持部として、その先端部を基板２に対して離接可能とされている。【００５５】  粘着層４はシート６の表面に形成されており、切り込み６ｃによりシート６と一体に切り込まれ、個々の浮動片６ｂの表面にそれぞれ切り分けられている。【００５６】  小動物捕獲器６０の作用や効果については上記した小動物捕獲器５０と同様であるため説明を省略する。【００５７】  尚、上述した小動物捕獲器６０においては、前記枡目状の区画にそれぞれ４条の切り込み６ｃを設けたが、これに限られるものではなく、前記枡目状の区画の中央から周縁に向けてさらに多数の切り込みを放射状に設けてもよく、これにより、個々の浮動片６ｂを小型化してシート６に多数の浮動片６ｂを容易に形成することができ、ネズミ１０に絡み付きやすくすることができる。また、前記枡目状の区画の配列は３行５列に限られるものではない。【００５８】  また、上述した実施形態において、シート６を例えば、ゴム、プラスチック、等の伸縮性および難破断性を兼ね備えた素材から形成してもよい。これによれば、個々の浮動片６ｂに伸縮性が付与され、粘着したネズミ１０の離脱をより困難なものとし、ネズミ１０を確実に捕獲することができる。【００５９】  図１３（ａ）は本発明に係る小動物捕獲器の他の実施形態の平面図、（ｂ）は同図（ａ）に示される小動物捕獲器の要部斜視図である。尚、上述した各実施形態と共通する部材は同一符号を付し説明を省略する。【００６０】  図１３に示されるように、本発明の一実施形態である小動物捕獲器７０は、略矩形板状の��板２と、表面に粘着層４を形成された略矩形状のシート７と、を備えている。【００６１】  シート７は、例えば、紙、不織布、等の難破断性の素材から形成されており、その周縁部を所定箇所として基板２に固着されている。シート７の周縁部以外の部分において、３行５列の枡目状に配列された各区画には、渦巻状の切り込み７ｃがそれぞれ設けられており、この切り込み７ｃにより、前記枡目状の区画にはそれぞれ渦巻状の浮動片７ｂが形成されている。このような構成により、シート７全体に隙間無く多数の浮動片７ｂを形成することができる。そして、個々の浮動片７ｂは、前記枡目状の区画の周縁部に接続した基端部を支持部として、その先端部を基板２に対して離接可能とされている。【００６２】  粘着層４はシート７の表面に形成されており、切り込み７ｃによりシート７と一体に切り込まれ、個々の浮動片７ｂの表面にそれぞれ切り分けられている。【００６３】  本実施形態の小動物捕獲器７０によれば、個々の浮動片７ｂが、ネズミ１０の脚に巻きつくようにして粘着することができ、粘着したネズミ１０の離脱をより困難なものとし、ネズミ１０を確実に捕獲することができる。その他の作用や効果については上記した小動物捕獲器５０と同様であるため説明を省略する。【００６４】  尚、上述した実施形態においては、前記枡目状の区画の配列は３行５列に限られるものではない。また、シート７を例えば、ゴム、プラスチック、等の伸縮性および難破断性を兼ね備えた素材から形成してもよい。これによれば、個々の浮動片７ｂに伸縮性が付与され、粘着したネズミ１０の離脱をより困難なものとし、ネズミ１０を確実に捕獲することができる。【００６５】  図１４（ａ）は本発明に係る小動物捕獲器の他の実施形態の平面図、（ｂ）は同図（ａ）におけるＸＩＶｂ−ＸＩＶｂ矢視断面図である。尚、上述した各実施形態と共通する部材は同一符号を付し説明を省略する。【００６６】  図１４に示されるように、本発明の一実施形態である小動物捕獲器８０は、略矩形板状の基板２と、表面に粘着層４を形成された略矩形状のシート８と、を備えている。【００６７】  シート８は、例えば、紙、不織布、等の難破断性の素材から形成されており、その周縁部を所定箇所として基板２に固着されている。シート８の周縁部以外の部分において、４行５列の枡目状に配列された各区画には、シート８の長手方向に沿った中央部に向けて開放した略コ字形状の切り込み８ｃがそれぞれ設けられており、この切り込み８ｃにより、前記枡目状の区画にそれぞれ浮動片８ｂが形成されている。このような構成により、シート８全体に隙間無く多数の浮動片８ｂを形成することができる。そして、個々の浮動片８ｂは、前記枡目状の区画の周縁部に接続した基端部を支持部として、その先端部を基板２に対して離接可能とされている。【００６８】  粘着層４はシート８の表面に形成されており、切り込み８ｃによりシート８と一体に切り込まれ、個々の浮動片８ｂの表面にそれぞれ切り分けられている。【００６９】  小動物捕獲器８０の作用や効果については上記した小動物捕獲器５０と同様であるため説明を省略する。【００７０】  尚、前記枡目状の区画の配列は４行５列に限られるものではなく、さらに多数の配列としてもよい。これにより、個々の浮動片８ｂを小型化してシート８にさらに多数の浮動片８ｂを形成し、ネズミ１０に絡み付きやすくすることができる。【００７１】  また、上述した実施形態において、シート８を例えば、ゴム、プラスチック、等の伸縮性および難破断性を兼ね備えた素材から形成してもよい。これによれば、個々の浮動片８ｂに伸縮性が付与され、粘着したネズミ１０の離脱をより困難なものとし、ネズミ１０を確実に捕獲することができる。【００７２】  図１５（ａ）は本発明に係る小動物捕獲器の他の実施形態の平面図、（ｂ）は同図（ａ）に示される小動物捕獲器の要部斜視図である。尚、上述した各実施形態と共通する部材は同一符号を付し説明を省略する。【００７３】  図１５に示されるように、本発明の一実施形態である小動物捕獲器９０は、略矩形板状の基板２と、表面に粘着層４を形成された略矩形状のシート９と、を備えている。【００７４】  シート９は、例えば、ゴム、プラスチック、等の伸縮性および難破断性を兼ね備えた素材から形成されており、その周縁部を所定箇所として基板２に固着されている。シート９の周縁部以外の部分には、シート９の長手方向と直交する方向に所定の間隔をおいて互いに平行に前記長手方向に沿った複数の切り込み９ｃが設けられており、隣接する一対の切り込み９ｃにより紐状の浮動片９ｂが複数形成されている。個々の浮動片９ｂは、両端部をシート９の周縁部にそれぞれ接続されており、両端部を除いた中間部を基板２に対して離接可能とされている。このような構成により、シート９全体に隙間無く多数の浮動片９ｂを形成することができる。【００７５】  粘着層４はシート９の表面に形成されており、切り込み９ｃによりシート９と一体に切り込まれ、個々の浮動片９ｂの表面にそれぞれ切り分けられている。【００７６】  上述した小動物捕獲器９０の作用や効果については上記した小動物捕獲器５０と同様であるため説明を省略する。【００７７】  尚、上述した小動物捕獲器９０においては、シート９を伸縮性を有する素材から形成することにより、個々の浮動片９ｂに伸縮性を付与したが、伸縮性を有しない素材においても浮動片９ｂを伸縮性のある形状に、例えば、切り込み９ｃをジグザグ（蛇腹）状に、若しくは、蛇行状に設け、シート９の長手方向の長さよりも切り込み９ｃ（即ち、浮動片９ｂ）の全長を長く形成することにより、浮動片９ｂの前記中間部を基板２に対して離接可能とすることができる。【００７８】  また、上述した小動物捕獲器６０，７０，８０，９０においては、シートを固定するための基台として略矩形板状の基板２を用いたが、シートの周縁部を固定することができるものであればよく、例えば、上述した小動物捕獲器３０における枠状の基台である支持枠３５や、上述した小動物捕獲器４０における一対の支持台４５からなる基台等を用いてもよい。【００７９】  尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。【００８０】  本発明を詳細にまた特定の実施���様を参照して説明したが、本発明の精神と範囲を逸脱することなく様々な変更や修正を加えることができることは当業者にとって明らかである。
本出願は、２００４年２月１９日出願の日本特許出願（特願２００４−０４２５３６）、２００４年７月８日出願の日本特許出願（特願２００４−２０１４８３）、に基づくものであり、その内容はここに参照として取り込まれる。
【産業上の利用可能性】
【００８１】  前述した実施形態では、小動物の一例としてネズミを挙げたが、小動物はネズミに限らない。本発明の小動物捕獲器は、他の有害小動物、例えば、モグラ、ゴキブリ、害鳥、ヘビ、等の捕獲においても有効に作用する。
【図１】
2005079568.tif 000002
【図２】
2005079568.tif 000003
【図３】
2005079568.tif 000004
【図４】
2005079568.tif 000005
【図５】
2005079568.tif 000006
【図６】
2005079568.tif 000007
【図７】
2005079568.tif 000008
【図８】
2005079568.tif 000009
【図９】
2005079568.tif 000010
【図１０】
2005079568.tif 000011
【図１１】
2005079568.tif 000012
【図１２】
2005079568.tif 000013
【図１３】
2005079568.tif 000014
【図１４】
2005079568.tif 000015
【図１５】
2005079568.tif 000016
【図１６】
2005079568.tif 000017
【図１７】
2005079568.tif 000018
【国際調査報告】
2005079568.tif 000019
2005079568.tif 000020
2005079568.tif 000021
2005079568.tif 000022
2005079568.tif 000023
2005079568.tif 000024